(57)【特許請求の範囲】
【請求項１】
環状のスタッド（４）が溶接される工作物（２）の表面に対して垂直に移動可能なスタッドホルダ（１）と、
前記スタッド（４）と前記工作物（２）の表面との間に溶接アークを発生する手段と、
前記スタッドホルダ（１）を囲んで設けられ、アークに対して作用する磁場を発生する電磁コイル（５）と、
前記電磁コイル（５）と結合される磁束案内部（６、７）とを有し、
前記磁束案内部（６、７）は円錐台形の磁場形成部（７）を有し、前記磁場形成部（７）の母線は溶接領域（８）を向き、更に、前記磁場形成部（７）の端部は、溶接ギャップ内において前記スタッド（４）の半径方向に延長する磁場成分を生成すべく前記溶接ギャップを囲む環状の磁極面（９）を有していることを特徴とする環状のスタッドの溶接装置。
【請求項２】
前記磁束案内部（６、７）は、前記スタッドホルダ（１）と同軸的に延長する磁場戻り路部材（６）を含み、電磁コイル（５）を有し、工作物（２）と対面するその端部には円錐台形の磁場形成部（７）を備えていることを特徴とする請求項１に記載のスタッドの溶接装置。
【請求項３】
前記円錐台形の磁場形成部（７）の先端に、スタッド（４）を囲み、磁場形成部（７）と工作物（２）表面の間の間隔を維持するスペーサ（１１）を備えてなることを特徴とする請求項１又は２に記載のスタッドの溶接装置。
【請求項４】
前記磁束案内部（６、７）が電導性が無いかあるいは低い強磁性材料で作られることを特徴とする請求項１から３のいずれかに記載のスタッドの溶接装置。
【請求項５】
前記磁束案内部（６、７）が電気的に絶縁性の材料で被覆されていることを特徴とする請求項１から４のいずれかに記載のスタッドの溶接装置。
【請求項６】
前記スタッドホルダ（１）が前記溶接領域（８）に保護ガスを供給する貫通孔（１２）を有することを特徴とする請求項１から５のいずれかに記載のスタッドの溶接装置。
【請求項７】
前記貫通孔（１２）が磁束案内部（６、７）の内部空間、又は前記スタッド（４）の内側に通じていることを特徴とする請求項６に記載のスタッドの溶接装置。
【請求項８】
前記スタッドホルダ（１）が前記スタッド（４）を押えるクランピングスリーブ（３）を含むことを特徴とする請求項１から７のいずれかに記載のスタッドの溶接装置。
【請求項９】
前記スタッドホルダ（１）が前記スタッド（４）を押える拘束栓部材（３）を含むことを特徴とする請求項１から７のいずれかに記載のスタッドの溶接装置。
【請求項１０】
前記電磁コイル（５）および前記磁束案内部（６、７）が軸方向に調整可能なユニットとして構成されることを特徴とする請求項１から９のいずれかに記載のスタッドの溶接装置。
【発明の詳細な説明】
【０００１】
【産業上の利用分野】
本発明は、実質的に環状の断面を有するスタッド用の溶接装置に関し、スタッドを溶接する工作物の面に対して垂直に移動可能なスタッドホルダを有し、溶接するスタッドと工作物の面との間に溶接アークが発生され、スタッドホルダを囲む電磁コイルが、アークに作用してアークをスタッドの環状面に沿って移動する磁場を生成するものである。
【０００２】
【従来の技術】
ＤＥ−Ｂ−１５６５００３で知られるこの種の装置において、電磁コイルは、溶接電流そのものとなる電流が流れる単一または複数のループから成る。このコイルで生成された磁場は主に溶接スタッドと同軸的に延長するもので、アークを移動する効果は殆ど無い。
【０００３】
【発明が解決しようとする課題】
本発明の目的は、中空のスタッドを安全、強固、迅速に溶接できる溶接装置を提供することである。
本発明の他の目的は、既存のスタッド溶接装置に容易に取り付けられ、組立および建設現場において一般的な手持ちスタッド溶接ガンと共に使用できるように、そのような装置を小型で簡単な構造とすることである。
【０００４】
【課題を解決するための手段】
これらの目的を達成する本発明の溶接装置は、環状のスタッドを溶接する工作物表面に対して垂直に移動可能なスタッドホルダと、前記スタッドと前記工作物表面との間に溶接アークを発生する手段と、前記スタッドホルダを囲み、アークに作用する磁場を発生する電磁コイルと、前記電磁コイルと結合し、母線が溶接領域を向く円錐台形の磁場形成部を有する磁束案内部とを有し、前記磁場形成部の端部は、溶接間隙内でスタッドの半径方向に伸びる磁場成分を生成すべく前記溶接間隙を囲む実質的に環状の磁極面を有するものである。
【０００５】
前記円錐台形の磁場形成部を有する磁束案内部は、溶接間隙内で放射状に延長すると共に、アークを移動するのに有効で、かつ強力な磁場成分を発生することができる。また、前記磁場形成部は電磁コイルの磁場が工作物と結合する可能性を低減し、そうでない場合は、この放射状の磁場成分を弱くする。
【０００６】
この強磁性磁場形成部の円錐台形はさらに、外部の磁場を歪曲する影響に対する溶接領域の有効な磁気遮蔽を行ない、コンパクトな構造とすることができる。したがって、本装置は手持ちスタッド溶接ガンに取り付けて、移動組立用途に自由に使用することができる。磁場形成部の細長い形状により、本発明の装置は接近が困難な場所における溶接に適する。
【０００７】
コイルおよび磁束案内部は、軸方向に調整可能な方法でスタッド溶接装置に機械的に固定される一つの構造ユニットとして形成することが望ましい。これにより、調整可能なスペーサによって工作物上に安定に置くことができるようになる。スタッドホルダは、スタッド溶接装置の上昇下降機構に機械的に接続されて、溶接アークを開始するのに必要なスタッドの軸方向移動を行なう。
【０００８】
さらにスタッドホルダは、溶接アークを供給する溶接電流源の端子と電気的に接続される。コイルは、少なくともアークの燃焼段階で電気的に励磁される。
【０００９】
本発明の装置により、コイルが励磁されている時に発生する磁力線は、装置および環状（管状）のスタッドを形成する磁気的に高い伝導性を有する材料を通して、主として実質的にその全通路に沿って通過する。磁力線が磁場形成部の環状磁極面から出てエアギャップを貫通する溶接領域付近のみにおいて、磁力線は溶接間隙内で半径方向の磁場成分を有する。スタッドを工作物表面から上昇させることによって溶接アークが点火された後、この放射状磁場成分は管状スタッドの環状面に沿って良好に定義された方法でアークを移動させる。このように、本発明のスタッド溶接装置によれば、閉じた環状の溶接シームによって工作物に対する管状スタッドの高品質な溶接ができる。
【００１０】
本発明の装置において、工作物自身は磁場の形成に積極的に関与しない。したがって、本装置は、非常に異なる形状の工作物においても、アークを移動する実質的に一定の磁場条件を確保できる。
【００１１】
本発明の装置の使いやすさおよび高い信頼性を得るには、磁場形成部をスタッドおよび工作物の両方から電気的に絶縁された方法で配置することが有用である。あるいは、磁場形成部および／または磁場形成部と接続された磁場戻り路素子を電気的伝導性が無いかあるいは小さい強磁性材料で作るか、または磁場形成部の一部あるいは全部を電気的絶縁材料で被覆してもよい。
【００１２】
電気的に非伝導性のスリーブ、たとえばセラミックリングを磁場形成部の環状磁極表面と管状スタッドとの間、および同様に磁場形成部と工作物との間に配設して、溶接領域を遮蔽してもよい。このようなスリーブまたはリングは、溶接ヘッドの形成を助け、また磁場形成部と工作物との間の絶縁スペーサとしても役立つ。
【００１３】
本装置は、保護ガスを供給して溶接領域を完全に囲む保護ガスカーテンを形成するようにしてもよい。この目的のため、スタッドホルダは、保護ガス供給路と接続され、管状溶接スタッドおよび／または磁場形成部の内部空間と直接連通する少なくとも一つの貫通孔を有することが好ましい。
【００１４】
スリーブホルダのチャックは、管状スタッドの外周と係合する、好ましくは非磁性材料製のクランピングスリーブとして、あるいはスタッドの穴と係合する、好ましくは強磁性材料製の拘束用栓部材（ｐｅｇ）として形成することができる。
【００１５】
【実施例】
次に、図面に示す本発明のスタッド溶接装置の一実施例を参照して、本発明を詳細に説明する。
図面に示すように、本装置は強磁性材料のスタッドホルダ１を有する。工作物２と対面するスタッド１の端部は、保持栓材として形成されたチャック３によって管状溶接スタッド４を搬送する。
【００１６】
スタッドホルダ１と同軸の、電気的に励磁可能な環状コイル５が、ポット状の磁場戻り路部材６内に埋め込まれている。戻り路部材６の一端はスタッドホルダ１と磁気的に結合され、他端は強磁性材料で作られた磁場形成部７と磁気的に結合されている。磁場形成部７と戻り路部材６を併せて磁束案内部を形成している。
【００１７】
磁場形成部７は上部を切断した円錐の形状を有し、その母線が溶接領域８を向くように位置している。そこから磁束が出る磁場形成部７の環状磁極面９は小さい間隔で溶接領域８を囲んでいる。絶縁性スペーサスリーブ１１が磁場形成部７と工作物２の間に配設されて、使用時において工作物２に対して本装置を支持する。
【００１８】
コイル５、磁場戻り路部材６および磁場形成部７は、二つの軸方向に調整可能なコラム１０によってスタッド溶接装置上に取り付けられる構造ユニットとして形成されている。
【００１９】
動作時において、溶接電流が、工作物２とこの工作物２に当初に接触するスタッド４との間に印加される。スタッド４を工作物２の表面から上昇させることによってアークが点火される。コイル５は、すくなくともアークが点火している限り電気的に励磁される。コイル５によって発生した磁場は、磁場形成部７、磁場形成部７の下端の磁極面９と溶接スタッド４の間のエアギャップ、スタッド４、スタッドホルダ１および磁束戻り路部材６を通過する。前記エアギャップ内において、磁力線が放射方向に伸びて、溶接電流通路と実質的に垂直に交わり、それによってアークを環状ギャップに沿って周方向に移動する力を生成する。
【００２０】
スタッドホルダ１は、保護ガスを溶接領域８に供給する軸方向の貫通孔１２を有する。
【００２１】
【発明の効果】
本発明に係るスタッドの溶接装置によれば、中空のスタッドを安全、強固、迅速に溶接できる。
また、本発明に係るスタッドの溶接装置によれば、既存のスタッド溶接装置に容易に取り付けることができ、組立および建設現場において一般的な手持ちスタッド溶接ガンと共に使用できるようになる。
【図面の簡単な説明】
【図１】本発明に係るスタッド用の溶接装置の一実施例の断面図である。
【符号の説明】
１  スタッドホルダ
２  工作物
３  チャック
４  スタッド
５  電磁コイル
６  磁場戻り路部材
７  磁場形成部
８  溶接領域
９  磁極面
１０  コラム
１１  絶縁性スペーサスリーブ
【図１】
0003574200.tif 000002